(57)【要約】【課題】美観を損なうことなく外装筐体に確実に固定できるケーブルカバーを備えたプロジェクターを提供する。【解決手段】プロジェクター１は、ケーブルが接続される端子が配設された基板と、基板を内部に収納し、端子を露出させる端子用開口部が形成されたインターフェイス部を有する外装筐体２と、外装筐体２のインターフェイス部と基板との間に位置する金属板と、インターフェイス部を覆い、端子に接続されるケーブルを外部に延出させるケーブル用開口部を有するケーブルカバー９と、を備え、金属板は、ケーブルカバー９を固定する固定部を有する。【選択図】図１
2016018057.tif 000002
【特許請求の範囲】
【請求項１】
ケーブルが接続される端子が配設された基板と、
前記基板を内部に収納し、前記端子を露出させる端子用開口部が形成されたインターフェイス部を有する外装筐体と、
前記外装筐体のインターフェイス部と前記基板との間に位置する金属板と、
前記インターフェイス部を覆い、前記端子に接続される前記ケーブルを外部に延出させるケーブル用開口部を有するケーブルカバーと、を備え、
前記金属板は、前記ケーブルカバーを固定する固定部を有することを特徴とするプロジェクター。
【請求項２】
請求項１に記載のプロジェクターにおいて、
前記固定部には、前記ケーブルカバーを前記金属板に固定する固定部材が固定され、
前記インターフェイス部及び前記ケーブルカバーのそれぞれには、前記固定部材の一部が挿通する孔部が形成されていることを特徴とするプロジェクター。
【請求項３】
請求項２に記載のプロジェクターにおいて、
光源装置と、
前記光源装置から出射された光を変調する光変調装置と、
前記光変調装置により変調された光を投射する投射光学装置と、
前記金属板に対して前記インターフェイス部とは反対側に設けられ、前記インターフェイス部に形成された前記孔部を介して前記外装筐体外に内部の光が漏れることを抑制する遮蔽部と、を有することを特徴とするプロジェクター。
【請求項４】
請求項３に記載のプロジェクターにおいて、
前記遮蔽部は、前記外装筐体に設けられ、
前記遮蔽部は、
前記固定部に対向する第１遮蔽部と、
前記第１遮蔽部とそれぞれ接続され、前記インターフェイス部に形成された前記孔部を前記固定部材が挿通する方向に対する直交方向に沿って前記固定部を挟む第２遮蔽部と、を有することを特徴とするプロジェクター。
【発明の詳細な説明】
【技術分野】
【０００１】
本発明は、プロジェクターに関する。
【背景技術】
【０００２】
従来、光源から出射された光を変調し、変調された光をスクリーン等の被投射面に拡大投射するプロジェクターが知られている。このようなプロジェクターは、種類の異なる複数の端子を備えており、それぞれの端子にケーブルを介して画像送信装置から受信された画像情報のうち、選択された画像情報に応じた画像光を形成及び投射する。
【０００３】
近年、プロジェクターでは、対応する画像信号の種別が増えた他、異なる規格に準拠した端子も増えたことから、プロジェクターが有する端子は、増加傾向にある。しかしながら、これら端子にケーブルを接続した状態は雑に見えることから、見栄えが悪いという問題がある。特に、プロジェクターが天井等に吊り下げられて設置される場合には、予め、各端子にケーブルを接続しておくことが多く、このようなプロジェクターでは上記問題が顕著となる。
【０００４】
これに対し、端子及び当該端子に接続されたケーブルを覆うカバー部材を備えたプロジェクターが知られている（例えば、特許文献１参照）。
この特許文献１に記載のプロジェクター（投射型表示装置）では、本体キャビネットの左側面には端子が配置されている。また、当該端子を覆うカバー部材を装着する場合には、本体キャビネットの側面カバーを外した状態で内カバーを装着し、当該内カバーを覆うように端子カバーが本体キャビネットに装着される。この端子カバーにおいて、プロジェクターが上側から吊られる姿勢で上側を向く面には、上記端子に接続されたケーブルが外部に延出する開口部が形成されている。このような構成により、端子及び当該端子に接続されたケーブルをケーブルカバーにより見えにくくすることができる。
【先行技術文献】
【特許文献】
【０００５】
【特許文献１】特開２０１１−１７０１１０号公報
【発明の概要】
【発明が解決しようとする課題】
【０００６】
ところで、特許文献１のプロジェクターでは、上記のように、本体キャビネットに端子カバーを取り付ける際には、当該本体キャビネットの側面カバーを取り外した上で、内カバーを装着し、更に端子カバーを取り付ける必要がある。このため、部品点数が増加する他、組み立てにも時間を要するという問題がある。このような問題を解決するため、内カバーを設けることなく、プロジェクターの外装筐体にカバー部材を直接装着する構成が考えられる。
【０００７】
しかしながら、外装筐体及びカバー部材のいずれもが合成樹脂により形成されている場合、ケーブルカバーの重み等により、当該カバー部材が直接装着された外装筐体が撓む等の問題が生じ得る。一方、外装筐体を金属により構成することも考えられるが、この場合、プロジェクターの重量が増大する。他方、外装筐体の外部にカバー部材を固定する金属製の固定部材を設けることも考えられるが、この場合には、プロジェクターの美観を損ねるおそれがある。
【０００８】
本発明は、美観を損なうことなく簡易に装着可能なケーブルカバーを備えたプロジェクターを提供することを目的の１つとする。
【課題を解決するための手段】
【０００９】
本発明の一態様に係るプロジェクターは、ケーブルが接続される端子が配設された基板と、前記基板を内部に収納し、前記端子を露出させる端子用開口部が形成されたインターフェイス部を有する外装筐体と、前記外装筐体のインターフェイス部と前記基板との間に位置する金属板と、前記インターフェイス部を覆い、前記端子に接続される前記ケーブルを外部に延出させるケーブル用開口部を有するケーブルカバーと、を備え、前記金属板は、前記ケーブルカバーを固定する固定部を有することを特徴とする。
【００１０】
上記一態様によれば、ケーブルが接続される端子が配設された基板と、端子を露出させる端子用開口部が形成された外装筐体のインターフェイス部との間に金属板が設けられ、当該金属板に設けられた固定部にケーブルカバーが固定される。すなわち、ケーブルカバーが固定される固定部が外装筐体内、すなわち基板とインターフェイス部との間に配置されているため、外装筐体の外側に固定部を設ける場合に比較して、外装筐体の美観を損ねることを防止できる。更に、金属板に固定部が設けられているため、ケーブルカバーを金属板に強固に固定でき、かつ、当該ケーブルカバーにより外装筐体が撓んだり破損したりすることを防止できる。また、ケーブルカバーのケーブル用開口部により端子に接続されるケーブルを纏めて外側に延出させることができるので、ケーブルを端子に接続した状態であっても、プロジェクターの見栄えを向上させることができる。
【００１１】
上記一態様では、前記固定部には、前記ケーブルカバーを前記金属板に固定する固定部材が固定され、前記インターフェイス部及び前記ケーブルカバーのそれぞれには、前記固定部材の一部が挿通する孔部が形成されていることが好ましい。
なお、上記固定部材としては、雌ねじ部と当該雌ねじ部に螺合する雄ねじ等が例示できる。
上記一態様によれば、インターフェイス部の孔部とケーブルカバーの孔部に固定部材の一部（雄ねじ）を挿通させ、固定部材に固定（固定部材の雌ねじ部に螺合）させることにより、インターフェイス部をケーブルカバーにより覆った状態で強固に固定できる。
【００１２】
上記一態様では、光源装置と、前記光源装置から出射された光を変調する光変調装置と、前記光変調装置により変調された光を投射する投射光学装置と、前記金属板に対して前記インターフェイス部とは反対側に設けられ、前記インターフェイス部に形成された前記孔部を介して前記外装筐体外に内部の光が漏れることを抑制する遮蔽部と、を有することが好ましい。
上記一態様によれば、インターフェイス部に形成された孔部を介して外装筐体内に設けられた光源装置、光変調装置、及び投射光学装置からの光を当該外装筐体外に漏れることを抑制する遮蔽部が金属板に対してインターフェイス部とは反対側に設けられているので、確実に外装筐体外に外装筐体内の光を漏らすことを抑制することができる。一方で、インターフェイス部及びケーブルカバーの孔部から外光が外装筐体内に入射することを抑制することもできる。
【００１３】
上記一態様では、前記遮蔽部は、前記外装筐体に設けられ、前記遮蔽部は、前記固定部に対向する第１遮蔽部と、前記第１遮蔽部とそれぞれ接続され、前記インターフェイス部に形成された前記孔部を前記固定部材が挿通する方向に対する直交方向に沿って前記固定部を挟む第２遮蔽部と、を有することが好ましい。
上記一態様によれば、第１遮蔽部が固定部に対向する位置に配置され、第２遮蔽部が固定部をインターフェイス部の孔部を固定部材が挿通する方向に対する直交方向に沿って挟むように第１遮蔽部に接続されているので、より確実に外装筐体内の光が外装筐体外に漏れることを抑制することができる。
更に、第２遮蔽部とインターフェイス部とにより固定部を挟むように遮蔽部が外装筐体に設けられているので、金属板及び金属板の固定部が遮蔽部側及びインターフェイス部側に折れ曲がることを防止できる。これにより、固定部に固定されるケーブルカバーをより強固に固定でき、その状態を維持できる。
【図面の簡単な説明】
【００１４】
【図１】本発明の一実施形態に係るプロジェクターを正面側から見た図。
【図２】上記一実施形態におけるプロジェクターの光学系を示す模式図。
【図３】上記一実施形態における外装筐体内に収納されたインターフェイス基板を背面部側から見た斜視図。
【図４】上記一実施形態におけるインターフェイス基板を覆う金属板を背面部側から見た斜視図。
【図５】上記一実施形態におけるプロジェクターを背面部側から見た斜視図。
【図６】上記一実施形態におけるプロジェクターを示す断面図。
【図７】上記一実施形態におけるケーブルカバーが装着されたプロジェクターの一部を示す断面図。
【図８】上記一実施形態におけるケーブルカバーと背面部との接続部位におけるプロジェクターの断面を、天面部側から見た断面図。
【発明を実施するための形態】
【００１５】
本発明の一実施形態について図面に基づいて説明する。
［プロジェクターの概略］
図１は、本実施形態に係るプロジェクター１を正面側から見た斜視図である。
本実施形態に係るプロジェクター１は、後述する光源装置４１から出射された光を変調して画像情報に応じた画像光を形成し、当該画像光をスクリーン等の被投射面上に拡大投射して、当該被投射面上に画像を表示するものである。このプロジェクター１は、図１に示すように、外装を構成する外装筐体２、当該外装筐体２内に収納配置される装置本体３（図２参照）と、外装筐体２に取り付けられるケーブルカバー９とを備える。
【００１６】
［外装筐体の構成］
外装筐体２は、全体略直方体形状を有し、本実施形態では合成樹脂により形成されている。この外装筐体２は、アッパーケース２１、ロアーケース２２、フロントケース２３及びリアケース２４が組み合わされて構成されている。
これらのうち、アッパーケース２１により、外装筐体２の天面部２Ａと、左右の両側面部２Ｅ及び２Ｆのそれぞれの一部とが構成される。また、ロアーケース２２により、外装筐体２の底面部２Ｂと、左右の両側面部２Ｅ及び２Ｆのそれぞれの一部とが構成される。
更に、フロントケース２３により、外装筐体２の正面部２Ｃが構成され、リアケース２４により、背面部２Ｄが構成される。
なお、以下の図及び説明において、Ｚ方向は、後述する投射光学装置４６から投射された光の進行方向（投射方向）を示し、Ｘ方向及びＹ方向は、当該Ｚ方向に直交し、かつ、互いに直交する方向を示す。これらのうち、Ｙ方向は、平面視でＺ方向が水平方向に沿うようにプロジェクター１が配置された場合に、鉛直方向とは反対方向である上方（すなわち、外装筐体２の底面部２Ｂから天面部２Ａに向かう方向）を示し、Ｘ方向は、Ｚ方向側（光の進行方向側）から見て左から右に向かう方向を示す。
【００１７】
正面部２Ｃ、すなわち、フロントケース２３には、開口部２Ｃ１が形成されている。この開口部２Ｃ１は、上記投射光学装置４６から出射された光（画像光）が通過する開口部であり、略半円状に形成されている。
なお、リアケース２４により構成される背面部２Ｄについては、後に詳述する。
【００１８】
［装置本体の構成］
図２は、外装筐体２内に設けられる装置本体３の構成を示す模式図である。
装置本体３は、図２に示すように、画像を形成及び投射する光学ユニット４と、音声出力ユニット５と、プロジェクター１全体を制御する制御ユニット６と、を備える。この他、装置本体３は、図示を省略するが、プロジェクター１の構成部品に電力を供給する電源ユニット、及び、冷却対象を冷却する冷却ユニットを備える。
【００１９】
［光学ユニットの構成］
光学ユニット４は、制御ユニット６による制御の下、画像情報に応じた画像を形成及び投射する。この光学ユニット４は、光源装置４１、照明光学装置４２、色分離装置４３、リレー装置４４、電気光学装置４５及び投射光学装置４６と、これらを支持する光学部品用筐体４７と、を備える。
【００２０】
光源装置４１は、光源ランプ４１１及びリフレクター４１２を有し、照明光学装置４２に光束を出射する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２５、第２レンズアレイ４２２、偏光変換素子４２３及び重畳レンズ４２４を有する。
【００２１】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２２】
電気光学装置４５は、分離された各色光を画像情報に応じてそれぞれ変調した後、変調された各色光を合成する。この電気光学装置４５は、色光ごとに設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、変調された各色光を合成する色合成光学装置としてのクロスダイクロイックプリズム４５５とを有する。
投射光学装置４６は、合成された色光（画像を形成する光束）を上記被投射面上に拡大投射する投射レンズ４６１と、鏡筒４６２と、を備えた組レンズとして構成されている。このような投射光学装置４６（詳しくは投射レンズ４６１）により投射される光は、フロントケース２３の開口部２Ｃ１から投射される。
【００２３】
光学部品用筐体４７は、詳しい図示を省略するが、各種光学部品を収納する溝部が形成された部品収納部材と、当該部品収納部材に形成された部品収納用の開口部を閉塞する蓋状部材と、投射光学装置４６を支持する支持部材と、を備える。
この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２４】
［音声出力ユニットの構成］
音声出力ユニット５は、制御ユニット６から入力される音声信号に応じた音声を出力する。この音声出力ユニット５は、当該音声を出力するスピーカー５１を有し、当該スピーカー５１は、背面部２Ｄの内側に配置されている。
【００２５】
［制御ユニットの構成］
制御ユニット６は、プロジェクター１の動作を制御する回路基板であるメイン基板（図示省略）と、当該メインボードに接続されるインターフェイス基板（以下、ＩＦ基板と略す場合がある）６１と、金属板６２と、を有する（図３及び図４参照）。
【００２６】
［ＩＦ基板の構成］
図３は、外装筐体２内に収納されたＩＦ基板６１を背面部２Ｄ側（上記投射光学装置４６による画像の投射方向とは反対側）から見た斜視図である。なお、図３においては、ＩＦ基板６１に配設された端子のうち、一部の端子にのみ符号を付している。
ＩＦ基板６１は、本発明の基板に相当し、図２に示すように、外装筐体２の背面部２Ｄに沿い、かつ、当該背面部２Ｄに対向するように配置される。このＩＦ基板６１には、図３に示すように、映像入力端子及び音声入力端子等の複数の端子６１１（図３参照）が配設されている。そして、ＩＦ基板６１は、各端子６１１から入力される信号をメイン基板に出力する。
【００２７】
［金属板の構造］
図４は、ＩＦ基板６１を覆う金属板６２を背面部２Ｄ側から見た斜視図である。
金属板６２は、ＩＦ基板６１における背面部２Ｄ側の面と、上記音声出力ユニット５とを背面部２Ｄ側にて覆うものであり、当該ＩＦ基板６１と背面部２Ｄとの間に配置される。この金属板６２は、外装筐体２内（例えば、ロアーケース２２）に固定され、ＩＦ基板６１に配設された端子６１１のぐらつきを抑制する他、外部に漏えいされる電磁波を遮蔽するシールド板としても機能する。
このような金属板６２は、図４に示すように、複数の開口部６２１と、略八角形状の開口部６２２と、固定部６２３，６２４と、を有する。
【００２８】
複数の開口部６２１は、ＩＦ基板６１に配設された上記端子６１１に応じた位置に形成され、当該開口部６２１を介して、対応する当該端子６１１が背面部２Ｄ側に突出する。
開口部６２２は、左側面部２Ｅ側の部分に形成されている。そして、当該開口部６２２を介して、上記スピーカー５１が背面部２Ｄ側に突出する。
【００２９】
固定部６２３，６２４は、後述するケーブルカバー９を固定する固定部材としてのスクリューＳ（図６〜８参照）が螺合する雌ねじ部６２３１，６２４１を有し、これにより、当該ケーブルカバー９を支持する部位である。これら固定部６２３，６２４は、金属板６２におけるＹ方向とは反対側の端部にそれぞれ形成されている。具体的に、固定部６２３は、Ｘ方向側の端部に配置され、固定部６２４は、固定部６２３に対してＸ方向とは反対側の位置で、詳しくは金属板６２のＸ方向における中央からＸ方向とは反対側の位置に配置されている。
これら固定部６２３，６２４は、金属板６２の一部が折り曲げ加工されることにより形成される。そして、固定部６２３，６２４は、金属板６２において上記開口部６２１，６２２が形成された面よりも背面部２Ｄ側に突出している。
なお、詳しくは後述するが、これら固定部６２３，６２４のＺ方向側（正面部２Ｃ側）には、ロアーケース２２に形成された遮蔽部２２１，２２２が配置される。
【００３０】
［背面部の構成］
図５は、プロジェクター１を背面部２Ｄ側から見た斜視図である。詳述すると、図５は、ケーブルカバー９が取り付けられていないプロジェクター１を背面部２Ｄ側から見た斜視図である。
背面部２Ｄは、図５に示すように、音声出力用の開口部２Ｄ１と、インターフェイス部２Ｄ２と、を有する。
これらのうち、開口部２Ｄ１は、背面部２ＤにおけるＸ方向とは反対側（左側面部２Ｅ側）の端部近傍に形成されている。この開口部２Ｄ１は、背面部２Ｄを貫通する複数の孔により形成されており、上記スピーカー５１（図２及び図４参照）から出力された音声を通過させる。
【００３１】
インターフェイス部２Ｄ２は、背面部２Ｄにおいて上記開口部２Ｄ１よりＸ方向側（右側面部２Ｆ側）に、正面部２Ｃ側に凹む形状に形成されている。このインターフェイス部２Ｄ２は、上記金属板６２に対向しており、換言すると、上記金属板６２は、背面部２Ｄのインターフェイス部２Ｄ２とＩＦ基板６１との間に配置される。
【００３２】
このようなインターフェイス部２Ｄ２は、複数の開口部２Ｄ２１と、孔部２Ｄ２２，２Ｄ２３と、を有する。
複数の開口部２Ｄ２１は、それぞれ本発明の端子用開口部に相当し、上記ＩＦ基板６１に配設されて上記金属板６２を挿通した端子６１１をそれぞれ露出させる開口部である。これら端子６１１に、ＰＣ（Personal Computer）等の画像送信装置に接続されたケーブルが接続される。
孔部２Ｄ２２，２Ｄ２３は、それぞれ、インターフェイス部２Ｄ２におけるＹ方向と反対方向側で、かつ、Ｘ方向の両端近傍に形成されている。すなわち、孔部２Ｄ２２，２Ｄ２３は、それぞれ、上記固定部６２３，６２４に対応する位置に形成されている。これら孔部２Ｄ２２，２Ｄ２３には、後述するケーブルカバー９を固定するスクリューＳ（図７参照）が挿通される。
【００３３】
［ケーブルカバーの構造］
図６は、プロジェクター１のＹＺ平面における断面を示す図である。
図１及び図６に示すように、外装筐体２には、背面部２Ｄ側の位置にケーブルカバー９がスクリューＳにより着脱自在に取り付けられる。このケーブルカバー９は、例えば、底面部２Ｂが上方を向く姿勢でプロジェクター１が天井等に固定される場合に取り付けられ、上記複数の端子６１１と、当該複数の端子６１１に接続されるケーブル（図示省略）の接続部位とを外側から覆い、これによりプロジェクター１の外観を良好なものとする。
ケーブルカバー９は、図１に示すように、天面部９Ａ、底面部９Ｂ、背面部９Ｄ及び左右の側面部９Ｅ，９Ｆを有し、図６に示すように、ＹＺ平面に沿う断面が横向きの略Ｕ字状となる形状に形成されている。そして、天面部９Ａ、底面部９Ｂ及び両側面部９Ｅ，９Ｆは、それぞれ天面部２Ａ、底面部２Ｂ及び両側面部２Ｅ，２Ｆに沿い、背面部９Ｄは、背面部２Ｄと所定間隔を隔てて当該背面部２Ｄと略平行に形成されている。
【００３４】
このようなケーブルカバー９は、図６に示すように、開口部９１、溝部９２及び孔部９３を有する。
開口部９１は、底面部９Ｂに形成され、当該開口部９１を介して上記端子６１１に接続された上記ケーブルが外部に延出する。
溝部９２は、底面部２Ｂ側の面の開口部９１を挟んだ両端にそれぞれ形成されている。具体的に、溝部９２は、ケーブルカバー９が外装筐体２に取り付けられた際に、上記背面部２Ｄの孔部２Ｄ２２，２Ｄ２３に応じた位置に、Ｚ方向に沿って形成されている。これら溝部９２の正面部２Ｃ側の端部に、それぞれ孔部９３が形成されている（図８参照）。
孔部９３（Ｘ方向側の孔部９３は図示省略）は、それぞれ、上記孔部２Ｄ２２，２Ｄ２３に対応して形成されている。これら孔部９３は、ケーブルカバー９を上記固定部６２３，６２４に固定するスクリューＳが挿通する孔部であり、当該孔部９３の内径は、スクリューＳの頭部の外径より小さい。
【００３５】
ここで、図６に示すように、溝部９２が形成された底面部９Ｂは、当該ケーブルカバー９が外装筐体２に取り付けられた状態では、背面部２Ｄに対してわずかに傾斜している。具体的に、ケーブルカバー９は、Ｚ方向に向かうに従ってＹ方向の寸法が大きくなるように形成されている。このため、溝部９２が無い場合には、孔部９３を挿通するスクリューＳを、背面部２Ｄに直交する方向に沿って孔部２Ｄ２２，２Ｄ２３に挿入しづらい。
これに対し、孔部９３にスクリューＳを案内する溝部９２が形成されていることにより、当該スクリューＳを孔部９３に挿入しやすくなり、ひいては、スクリューＳを固定部６２３，６２４に固定しやすくすることができる。
【００３６】
［ケーブルカバーの取付方法］
図７は、ケーブルカバー９が装着されたプロジェクター１の一部を示す、ＸＺ平面における断面図である。また、図８は、ケーブルカバー９と背面部２Ｄとの接続部位におけるプロジェクター１のＸＺ平面に沿う断面を、Ｙ方向側（天面部２Ａ側）から見た図である。
次に、ケーブルカバー９のプロジェクター１への取付方法について説明する。
まず、使用者は、ケーブルカバー９の孔部９３とリアケース２４のインターフェイス部２Ｄ２の孔部２Ｄ２２，２Ｄ２３との位置合わせを行う。この状態で、スクリューＳをケーブルカバー９の溝部９２に沿わせ、孔部９３及び孔部２Ｄ２２，２Ｄ２３を挿通させる。そして、スクリューＳを、金属板６２に形成された固定部６２３，６２４の雌ねじ部６２３１，６２４１に螺合させる。これにより、ケーブルカバー９は、リアケース２４を介して当該固定部６２３，６２４に強固に固定される。
なお、当該スクリューＳを取り外せば、ケーブルカバー９を容易に取り外せる。
【００３７】
［遮蔽部の構造］
ここで、図３及び図４に示すように、金属板６２の固定部６２３に対して正面部２Ｃ側の位置には、ロアーケース２２と一体的に形成された遮蔽部２２１が配置されている。また、固定部６２４に対して正面部２Ｃ側の位置にも、同じくロアーケース２２と一体的に形成された遮蔽部２２２が配置されている。
これら遮蔽部２２１，２２２は、金属板６２における固定部６２３，６２４及びインターフェイス部２Ｄ２の孔部２Ｄ２２，２Ｄ２３から、外装筐体２内に配置された上記光学ユニット４に基づく光が外装筐体２外に漏れることを防止する。これら遮蔽部２２１，２２２は、略同形状に形成されていることから、以下では、遮蔽部２２１についてのみ説明する。
【００３８】
遮蔽部２２１は、図８に示すように、基端部２２１１、延出部２２１２、遮光板２２１３及び突出部２２１４を有する。
基端部２２１１は、ロアーケース２２の天面部２Ａに向けて突出する円柱状に形成されている。延出部２２１２は、この基端部２２１１の背面部２Ｄ側の面から、当該背面部２Ｄ側、すなわち、Ｚ方向と反対方向に延出している。この延出部２２１２の端部には、遮光板２２１３が接続されている。遮光板２２１３は、本発明の第１遮蔽部に相当し、固定部６２３の雌ねじ部６２３１に対向するように配置されている。この遮光板２２１３の両端には、インターフェイス部２Ｄ２の孔部２Ｄ２２をスクリューＳが挿通する方向（Ｚ方向）に対する直交方向（Ｘ方向）に沿って固定部６２３を挟む突出部２２１４が接続されている。この突出部２２１４は、本発明の第２遮蔽部に相当する。これら遮光板２２１３及び突出部２２１４は、Ｙ方向から見て、断面略Ｕ字状に形成され、突出部２２１４のＺ方向とは反対側の端部が固定部６２３とわずかな隙間を開けた状態で配置される。
これにより、例えば、スクリューＳによりケーブルカバー９が固定部６２３に固定された場合、突出部２２１４により固定部６２３を受けるので、当該ケーブルカバー９の自重により金属板６２若しくは金属板６２の固定部６２３が折れ曲がることを防止できる。
なお、遮蔽部２２２は、図３に示すように、遮蔽部２２１の基端部２２１１、延出部２２１２、遮光板２２１３及び突出部２２１４と同様の基端部２２２１、延出部２２２２、遮光板２２２３及び突出部２２２４を有し、遮蔽部２２１と同様に作用する。
【００３９】
［実施形態の効果］
本実施形態に係るプロジェクター１によれば、以下の効果を奏する。
本実施形態では、不図示のケーブルが接続される複数の端子６１１が配設されたＩＦ基板６１と、複数の端子６１１を露出させる複数の開口部６２１が形成された外装筐体２のインターフェイス部２Ｄ２との間に金属板６２が設けられ、当該金属板６２に設けられた固定部６２３，６２４にケーブルカバー９が固定される。すなわち、ケーブルカバー９が固定される固定部６２３，６２４が外装筐体２内、すなわちＩＦ基板６１とインターフェイス部２Ｄ２との間に配置されているため、外装筐体２の外側に固定部６２３，６２４を設ける場合に比較して、外装筐体２の美観を損ねることを防止できる。
更に、金属板６２に固定部６２３，６２４が設けられているため、ケーブルカバー９を金属板６２に強固に固定でき、かつ、当該ケーブルカバー９により外装筐体２が撓んだり破損したりすることを防止できる。また、ケーブルカバー９の開口部９１により複数の端子６１１に接続される不図示のケーブルを纏めて外側に延出させることができるので、不図示のケーブルを複数の端子６１１に接続した状態であっても、プロジェクター１の見栄えを向上させることができる。
【００４０】
また、インターフェイス部２Ｄ２の孔部２Ｄ２２，２Ｄ２３とケーブルカバー９の孔部９３にスクリューＳを挿通させ、固定部６２３，６２４の雌ねじ部６２３１，６２４１に螺合させることにより、インターフェイス部２Ｄ２をケーブルカバー９により覆った状態で強固に固定できる。
【００４１】
更に、インターフェイス部２Ｄ２に形成された孔部２Ｄ２２，２Ｄ２３を介して外装筐体２内に設けられた光源装置４１、液晶パネル４５３（４５３Ｒ,４５３Ｇ，４５３Ｂ）、及び投射光学装置４６からの光を当該外装筐体２外に漏れることを抑制する遮蔽部２２１，２２２（遮光板２２１３，２２２３）が金属板６２に対してインターフェイス部２Ｄ２とは反対側に設けられているので、確実に外装筐体２外に外装筐体２内の光を漏らすことを抑制することができる。一方で、インターフェイス部２Ｄ２及びケーブルカバー９の孔部２Ｄ２２，２Ｄ２３，９３から外光が外装筐体２内に入射することを抑制することもできる。
【００４２】
また、遮蔽部２２１の遮光板２２１３が固定部６２３に対向する位置に配置され、突出部２２１４が固定部６２３をインターフェイス部２Ｄ２の孔部２Ｄ２２をスクリューＳが挿通する方向（Ｚ方向）に対する直交方向（Ｘ方向）に沿って挟むように遮光板２２１３に接続されているので、より確実に外装筐体２内の光が外装筐体２外に漏れることを抑制することができる。
更に、突出部２２１４とインターフェイス部２Ｄ２とにより固定部６２３を挟むように遮蔽部２２１が外装筐体２に設けられているので、金属板６２及び金属板６２の固定部６２３が遮蔽部２２１側及びインターフェイス部２Ｄ２側に折れ曲がることを防止できる。これにより、固定部６２３に固定されるケーブルカバー９をより強固に固定でき、その状態を維持できる。
【００４３】
［実施形態の変形］
本発明は、上記実施形態に限定されるものではなく、本発明の目的を達成できる範囲での変形、改良等は本発明に含まれるものである。
上記実施形態において、インターフェイス部２Ｄ２は、背面部２Ｄにおいて上記開口部２Ｄ１よりＸ方向側（右側面部２Ｆ側）に、正面部２Ｃ側に凹む形状に形成されることとした。しかしながら、本発明は、これに限らない。例えば、リアケース２４の背面部２Ｄ側の面と平行であってもよいし、逆に突出していてもよい。すなわち、基板６１の複数の端子６１１に不図示のケーブルが接続できれば、どのような形状であってもよい。更に、リアケース２４は、インターフェイス部２Ｄ２を備えなくてもよく、例えば、リアケース２４と一体であってもよい。この場合、リアケース２４に複数の端子６１１が突出する複数の開口部２Ｄ２１が形成されていればよい。また、インターフェイス部は、背面部２Ｄに限らず、他の側面部（例えば、側面部２Ｅ，２Ｆ）に形成されていてもよい。
【００４４】
上記実施形態において、金属板６２の固定部６２３，６２４は、金属板６２の一部が折り曲げ加工されることにより形成されることとした。しかしながら、本発明は、これに限らない。例えば、金属板６２に接続される固定部６２３，６２４と同形状の金属製の固定部を設け、これらが金属板６２に固定される形状であってもよい。また、これらの固定部６２３，６２４は、金属板６２に固定されなくてもよい。例えば、ロアーケース２２やアッパーケース２１に固定されるようにしてもよい。
また、金属板６２は、ロアーケース２２に固定されることとした。しかしながら、本発明は、これに限らない。例えば、アッパーケース２１に固定されることとしてもよい。すなわち、金属板６２は、外装筐体２に固定されていればよい。
【００４５】
上記実施形態において、固定部６２３，６２４は、雌ねじ部６２３１，６２４１を有することとした。しかしながら、本発明は、これに限らない。例えば、固定部６２３，６２４が背面部２Ｄ側に突出する雄ねじ部を有し、当該雄ねじ部に螺合する雌ねじ部を有する部材によりケーブルカバー９を固定するようにしてもよい。この場合、インターフェイス部２Ｄ２の孔部２Ｄ２２，２Ｄ２３及びケーブルカバー９の孔部９３は、固定部６２３，６２４の雄ねじ部が挿通する程度の孔部を有していればよい。また、外装筐体２の内側にて固定部とケーブルカバー９とをスクリューＳが固定する構成としてもよい。
また、固定部６２３，６２４は、ケーブルカバー９を固定できれば、どのような形状であってもよく、螺合による固定に限られない。例えば、固定部６２３，６２４にロック機構を設け、当該ロック機構によりケーブルカバー９を固定するようにしてもよい。また、固定部材もスクリューＳに限らず、他の構成でもよい。
【００４６】
上記実施形態において、遮蔽部２２１，２２２は、突出部２２１４，２２２４を設けることとした。しかしながら、本発明は、これに限らない。例えば、突出部２２１４，２２２４を設けなくてもよく、この場合であっても、インターフェイス部２Ｄ２の孔部２Ｄ２２，２Ｄ２３及び固定部６２３，６２４の雌ねじ部６２３１，６２４１から外装筐体２内の光学ユニット４に基づく光が漏れることを防止できる。換言すると、光学ユニット４に基づく光が孔部２Ｄ２２，２Ｄ２３を介して外装筐体２外に漏れることを抑制できれば、遮蔽部の構成は、遮蔽部２２１，２２２の構成に限らない。
更に、固定部６２３，６２４を支持する支持部材をロアーケース２２に設けるようにしてもよい。これによれば、遮蔽部２２１，２２２が突出部２２１４，２２２４を有していなくても、金属板６２が変形することを防止できる。
【００４７】
また、上記実施形態では、遮蔽部２２１，２２２は、ロアーケース２２と一体成形されていることとした。しかしながら、本発明は、これに限らない。例えば、遮蔽部２２１，２２２は、ロアーケース２２（外装筐体２）と別体であってもよい。更に、遮蔽部２２１，２２２がロアーケース２２（外装筐体２）と別体である場合、当該遮蔽部２２１，２２２は、ロアーケース２２に固定されていなくてもよい。例えば、アッパーケース２１に固定されるようにしてもよいし、リアケース２４に固定されていてもよい。更に、遮蔽部２２１，２２２は、金属板６２に固定されるようにしてもよい。
また、上記実施形態では、遮蔽部２２１，２２２を設けることとした。しかしながら、本発明は、これに限らない。例えば、遮蔽部２２１，２２２を設けなくてもよい。
【００４８】
上記実施形態において、ケーブルカバー９の溝部９２は、Ｙ方向とは反対側の開口部９１を挟む位置にそれぞれ形成されるとした。これに対し、例えば、固定部６２３，６２４をＹ方向側に設け、当該固定部６２３，６２４の位置に対応する位置、すなわち、ケーブルカバー９のＹ方向側の面に溝部を形成してもよい。更に、金属板６２の固定部６２３，６２４に加え、複数の固定部を更に設け、当該複数の固定部に対応する位置に溝部を形成してもよい。これによれば、更に強固にケーブルカバー９を金属板６２に取り付けることができる。
【００４９】
また、上記実施形態において、溝部９２が形成された底面部９Ｂは、当該ケーブルカバー９が外装筐体２に取り付けられた状態では、背面部２Ｄに対してわずかに傾斜していることとした。しかしながら、本発明は、これに限らない。例えば、底面部９Ｂは、外装筐体２の底面部２Ｂに対して平行であってもよい。また、天面部９Ａ、底面部９Ｂ及び左右の側面部９Ｅ，９Ｆは、それぞれ、天面部２Ａ、底面部２Ｂ及び左右の側面部２Ｅ，２Ｆと面一でなくてもよい。
更に、外装筐体２は、アッパーケース２１、ロアーケース２２、フロントケース２３及びリアケース２４が組み合わされて構成されるとした。しかしながら、これに限らず、外装筐体を構成できれば、どのようなケースの組合せであってもよい。例えば、アッパーケースとロアーケースとの組合せにより、上記各面部２Ａ〜２Ｆを有する外装筐体を構成してもよい。
【００５０】
上記実施形態では、光学ユニット４は背面部２Ｄ及び右側面部２Ｆのそれぞれに沿う略Ｌ字状に構成されていたが、本発明はこれに限らない。例えば、略Ｕ字状に構成された光学ユニットを採用してもよい。
上記実施形態では、光束入射面と光束射出面とが異なる透過型の液晶パネル４５３を用いていたが、光入射面と光射出面とが同一となる反射型の液晶パネルを用いてもよい。
【００５１】
上記実施形態では、プロジェクター１は、３つの液晶パネル４５３Ｒ，４５３Ｇ，４５３Ｂを備えるとしたが、本発明はこれに限らない。すなわち、２つ以下、あるいは、４つ以上の液晶パネル４５３を用いたプロジェクター１にも、本発明を適用可能である。
上記実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００５２】
上記実施形態では、光源装置４１は、光源ランプ４１１と、光源ランプ４１１から出射された光を反射させるリフレクター４１２とを有する構成とした。しかしながら、本発明はこれに限らない。例えば、光源ランプの数は２つでもよく、３つ以上でもよい。また、光源装置４１は、光源ランプ４１１を有する構成に限らず、ＬＥＤ（Light Emitting Diode）やＬＤ（Laser Diode）等の固体光源を有する構成としてもよい。
【符号の説明】
【００５３】
１…プロジェクター、２…外装筐体、９…ケーブルカバー、２４…リアケース（背面部２Ｄ）、４１…光源装置、４６…投射光学装置、６１…基板、６２…金属板、９１…開口部（ケーブル用開口部）、９２…溝部、９３…孔部、２１１，２１２…遮蔽部、４５３（４５３Ｒ，４５３Ｇ，４５３Ｂ）…液晶パネル（光変調装置）、４６１…投射レンズ、６１１…端子、６２３，６２４…固定部、２２１３，２２２３…遮光板（遮蔽部、第１遮蔽部）、２２１４，２２２４…突出部（遮蔽部、第２遮蔽部）、６２３１，６２４１…雌ねじ部（固定部材）、２Ｄ１…複数の開口部（端子用開口部）、２Ｄ２…インターフェイス部、２Ｄ２２，２Ｄ２３…孔部、Ｓ…スクリュー（固定部材の一部）。
【図１】
2016018057.tif 000003
【図２】
2016018057.tif 000004
【図３】
2016018057.tif 000005
【図４】
2016018057.tif 000006
【図５】
2016018057.tif 000007
【図６】
2016018057.tif 000008
【図７】
2016018057.tif 000009
【図８】
2016018057.tif 000010